【手続補正書】
【提出日】平成16年1月30日(2004.1.30)
【手続補正１】
【補正対象書類名】明細書
【補正対象項目名】特許請求の範囲
【補正方法】変更
【補正の内容】
【特許請求の範囲】
【請求項１】
流体通路を形成する内壁面に弁座を設けたバルブボディと、
前記弁座に環状に着座可能な当接部を有し、前記当接部が前記弁座から離座ならびに前記弁座に着座することにより前記流体通路を開閉する弁部材と、
前記弁部材よりも流体下流側の前記バルブボディに取付けられるオリフィスプレートであって、板厚方向に貫通する複数のオリフィスを有するオリフィスプレートとを備え、
前記オリフィスプレートの前記弁部材との対向面と、前記弁部材の下流側先端部において前記当接部の内周側に形成される先端面と、前記内壁面とで略円板状の流体室を形成する流体噴射ノズルであって、
前記弁座に着座する前記当接部の環状のシート径をＤＳ、前記対向面における前記オリフィス間のピッチをＤＨ、前記オリフィスの径をｄ、前記弁座の前記当接部との環状シート部から前記対向面までの垂直距離をＨ、前記弁部材のリフト時における前記先端面から前記対向面までの距離をｈとすると、
１．５＜ＤＳ／ＤＨ＜６、
ｈ＜１．５ｄ、
Ｈ＜４ｄ
を同時に満たし、
前記オリフィスは二重同心円上に配置されていることを特徴とする流体噴射ノズル。
【請求項２】
流体通路を形成する内壁面に弁座を設けたバルブボディと、
前記弁座に環状に着座可能な当接部を有し、前記当接部が前記弁座から離座ならびに前記弁座に着座することにより前記流体通路を開閉する弁部材と、
前記弁部材よりも流体下流側の前記バルブボディに取付けられるオリフィスプレートであって、板厚方向に貫通する複数のオリフィスを有するオリフィスプレートとを備え、
前記オリフィスプレートの前記弁部材との対向面と、前記弁部材の下流側先端部において前記当接部の内周側に形成される先端面と、前記内壁面とで略円板状の流体室を形成する流体噴射ノズルであって、
前記オリフィスは前記当接部の下流側の流体主流の方向が前記対向面と交差する位置を結んだ仮想包路線の内側に形成され、前記各オリフィスを中心として同一径の円を互いにほぼ接して確保できるように前記オリフィスを配置することを特徴とする流体噴射ノズル。
【請求項３】
流体通路を形成する内壁面に弁座を設けたバルブボディと、
前記弁座に環状に着座可能な当接部を有し、前記当接部が前記弁座から離座ならびに前記弁座に着座することにより前記流体通路を開閉する弁部材と、
前記弁部材よりも流体下流側の前記バルブボディに取付けられるオリフィスプレートであって、板厚方向に貫通する複数のオリフィスを有するオリフィスプレートとを
備え、
前記オリフィスプレートの前記弁部材との対向面と、前記弁部材の下流側先端部において前記当接部の内周側に形成される先端面と、前記内壁面とで略円板状の流体室を形成する流体噴射ノズルであって、
前記弁座に着座する前記当接部の環状のシート径をＤＳ、前記対向面における前記オリフィス間のピッチをＤＨ、前記オリフィスの径をｄ、前記弁座の前記当接部との環状シート部から前記対向面までの垂直距離をＨ、前記弁部材のリフト時における前記先端面から前記対向面までの距離をｈとすると、
１．５＜ＤＳ／ＤＨ＜６、
ｈ＜１．５ｄ、
Ｈ＜４ｄ
を同時に満たし、
前記各オリフィスを中心として同一径の円を互いにほぼ接して確保できるように前記オリフィスを配置することを特徴とする流体噴射ノズル。
【請求項４】
前記オリフィスは前記オリフィスプレートの板厚方向に対して所定角傾斜していることを特徴とする請求項１、２または３記載の流体噴射ノズル。
【請求項５】
前記オリフィスは二重同心円上に配置されていることを特徴とする請求項２または３記載の流体噴射ノズル。
【請求項６】
前記二重同心円の内周側円上のオリフィスの数をｎ１、外周側円上のオリフィスの数をｎ２とするとｎ１＝ｎ２であることを特徴とする請求項５記載の流体噴射ノズル。
【請求項７】
前記二重同心円の内周側円上のオリフィスの数をｎ１、外周側円上のオリフィスの数をｎ２とするとｎ１×２＝ｎ２であることを特徴とする請求項５記載の流体噴射ノズル。
【請求項８】
前記オリフィスプレートの板厚方向に対する前記二重同心円の内周側円上のオリフィスの傾斜角をθ１、前記二重同心円の外周側円上のオリフィスの傾斜角をθ２とすると、θ１＜θ２であることを特徴とする請求項５、６または７記載の流体噴射ノズル。
【請求項９】
流体通路を形成する内壁面に弁座を設けたバルブボディと、
前記弁座に環状に着座可能な当接部を有し、前記当接部が前記弁座から離座ならびに前記弁座に着座することにより前記流体通路を開閉する弁部材と、
前記弁部材よりも流体下流側の前記バルブボディに取付けられるオリフィスプレートであって、板厚方向に貫通する複数のオリフィスを有するオリフィスプレートとを備え、
前記弁座に着座する前記当接部の環状のシート径をＤＳ、前記オリフィスプレートの前記弁部材との対向面における前記オリフィス間のピッチをＤＨ、前記オリフィスの径をｄ、前記弁座の前記当接部との環状シート部
から前記対向面の外周縁を通り前記弁部材の中心軸に直交する仮想平面までの垂直距離をＨ、前記弁部材の下流側先端部において前記当接部の内周側に形成される先端面から前記対向面までの前記弁部材のリフト時における距離をｈとすると、
１．５＜ＤＳ／ＤＨ＜６、
ｈ＜１．５ｄ、
Ｈ＜４ｄ
を同時に満たし、前記先端面と前記対向面との間隔はほぼ等しいことを特徴とする流体噴射ノズル。
【請求項１０】
前記オリフィスは前記当接部の下流側の流体主流の方向が前記対向面と交差する位置を結んだ仮想包路線の内側に形成されることを特徴とする請求項９記載の流体噴射ノズル。
【請求項１１】
前記オリフィスプレートの板厚をｔとすると、０．５＜ｔ／ｄ＜１．０であることを特徴とする請求９または１０記載の流体噴射ノズル。
【請求項１２】
前記オリフィスは前記弁部材の中心軸に対して所定角傾斜していることを特徴とする請求項９、１０または１１記載の流体噴射ノズル。
【請求項１３】
前記オリフィスは、流体下流側に向かうにしたがい前記弁部材の中心軸から遠ざかる方向に１５°以上傾斜していることを特徴とする請求項４または１２記載の流体噴射ノズル。
【請求項１４】
前記内壁面は、流体の流れ方向に向かってその径が縮小する傾斜面を有することを特徴とする請求項１〜１３のいずれか一項記載の流体噴射ノズル。
【請求項１５】
前記内壁面は、円錐斜面であることを特徴とする請求項１４記載の流体噴射ノズル。
【請求項１６】
前記先端面は、前記弁部材の下流側先端部の中心に設けられていることを特徴とする請求項１５記載の流体噴射ノズル。
【請求項１７】
前記先端面は、前記対向面に略平行に形成されていることを特徴とする請求項１６記載の流体噴射ノズル。
【請求項１８】
前記先端面は、流体の流れに向かってその径が徐々に縮小するなだらかな円錐凸面であることを特徴とする請求項１６記載の流体噴射ノズル。
【請求項１９】
前記オリフィスはｄ＜０．３であることを特徴とする請求項１〜１８のいずれか一項記載の流体噴射ノズル。
【請求項２０】
流体通路を形成する内壁面に弁座を設けたバルブボディと、
前記弁座に環状に着座可能な当接部を有し、前記当接部が前記弁座から離座ならびに前記弁座に着座することにより前記流体通路を開閉する弁部材と、
前記弁部材よりも流体下流側の前記バルブボディに取付けられるオリフィスプレートであって、板厚方向に貫通する複数のオリフィスを有するオリフィスプレートとを備え、
前記オリフィスプレートの前記弁部材との対向面と、前記弁部材の下流側先端部において前記当接部の内周側に形成される先端面と、前記内壁面とで略円板状の流体室を形成する流体噴射ノズルであって、
前記弁座に着座する前記当接部の環状のシート径をＤＳ、前記対向面における前記オリフィス間のピッチをＤＨ、前記オリフィスの径をｄ、前記弁座の前記当接部との環状シート部から前記対向面までの垂直距離をＨ、前記弁部材のリフト時における前記先端面から前記対向面までの距離をｈとすると、
１．５＜ＤＳ／ＤＨ＜６、
ｈ＜１．５ｄ、
Ｈ＜４ｄ
を同時に満たし、
前記オリフィスはｄ＜０．３であることを特徴とする流体噴射ノズル。
【請求項２１】
前記オリフィスはｄ＜０．２５であることを特徴とする請求項１〜２０いずれか一項記載の流体噴射ノズル。
【手続補正２】
【補正対象書類名】明細書
【補正対象項目名】０００９
【補正方法】変更
【補正の内容】
【０００９】
したがって、オリフィスプレートから噴出される流体は衝突による乱れのために微粒化が促進されかつ方向性をもった噴霧になる。
また、本発明の請求項１または５記載の流体噴射ノズルによると、オリフィスを二重同心円上に配置することによって、噴射先で噴霧が重複しにくい。
本発明の請求項２、５、６または７記載の流体噴射ノズルによると、流体流れが直接オリフィスに流入しない位置にオリフィスを形成するとともに、各オリフィスを中心として同一径の円をほぼ接して確保できるようにオリフィスを配置することにより、各オリフィスから噴射される噴霧が等しい領域を確保できる。したがって、各オリフィスから噴射される微粒化された噴霧が噴射先で重複することを抑制するので、微粒化された噴霧を均一に供給できる。


【手続補正３】
【補正対象書類名】明細書
【補正対象項目名】００１９
【補正方法】削除
【補正の内容】
【手続補正４】
【補正対象書類名】明細書
【補正対象項目名】００２０
【補正方法】変更
【補正の内容】
【００２０】
本発明の請求項１９、２０または２１記載の流体噴射ノズルによると、小径のオリフィス径を設定することでオリフィスを多数設けて所定噴射量を噴射することになるので、オリフィスから噴射される燃料が空気と接触する面積をより多くして、より微粒化を促進できる。